(57)【要約】【課題】通信システムの切り替えを効率的に行える無線端末装置及び通信制御方法を提供すること。【解決手段】第１のサービスが提供されるＬＴＥ通信システム、及び第２のサービスが提供されるＣＤＭＡ通信システムを、選択的に切り替えて通信する携帯電話機１は、ＬＴＥ通信システムからＣＤＭＡ通信システムへ移行し、第２のサービスに関する通信を終了した後、第１のタイマを動作させ、当該第１のタイマの満了を検知する第１のタイマ管理部３２と、第１のタイマの満了が検知されたことに応じて、ＣＤＭＡ通信システムからＬＴＥ通信システムへ切り替える通信切替部３１と、を備え、第１のタイマ管理部３２は、第２のサービスに関する通信を終了した後、当該通信の終了理由に応じて、第１のタイマの開始タイミング又は満了までの長さを変更する。【選択図】図２
2013048407.tif 000002
【特許請求の範囲】
【請求項１】
第１のサービスが提供される第１の通信システム、及び第２のサービスが提供される第２の通信システムを、選択的に切り替えて通信する無線端末装置であって、
前記第１の通信システムから前記第２の通信システムへ移行し、前記第２のサービスに関する通信を終了した後、第１のタイマを動作させ、当該第１のタイマの満了を検知する第１のタイマ管理部と、
前記第１のタイマ管理部により前記第１のタイマの満了が検知されたことに応じて、前記第２の通信システムから前記第１の通信システムへ切り替える切替部と、を備え、
前記第１のタイマ管理部は、前記第２のサービスに関する通信を終了した後、当該通信の終了理由に応じて、前記第１のタイマの開始タイミング又は満了までの長さを変更する無線端末装置。
【請求項２】
前記第１のタイマ管理部は、前記終了理由が音声発呼の失敗と判断される場合に、前記第１のタイマの開始タイミングを遅らせ、又は満了までを長くする請求項１に記載の無線端末装置。
【請求項３】
前記第１のタイマ管理部は、前記終了理由が音声着呼に対する応答の失敗と判断される場合に、前記第１のタイマの開始タイミングを遅らせ、又は満了までを長くする請求項１又は請求項２に記載の無線端末装置。
【請求項４】
前記第１のタイマ管理部は、前記終了理由がＳＭＳ受信の失敗と判断される場合に、前記第１のタイマの開始タイミングを遅らせ、又は満了までを長くする請求項１から請求項３のいずれか１項に記載の無線端末装置。
【請求項５】
前記第１のタイマ管理部は、前記終了理由がＳＭＳ受信の失敗と判断される場合に、前記第１のタイマの満了のタイミングがネットワーク側からのＳＭＳの再送タイミングの後となるように、前記第１のタイマの開始タイミングを遅らせ、又は満了までを長くする請求項４に記載の無線端末装置。
【請求項６】
前記第１のタイマ管理部は、前記第１のタイマの満了までの時間が所定時間を超える場合、当該第１のタイマを即時に満了させる請求項５に記載の無線端末装置。
【請求項７】
前記第１のタイマ管理部により前記第１のタイマの満了が検知され、かつ、所定のアプリケーションが実行中である場合、第２のタイマを動作させ、当該第２のタイマの満了を検知する第２のタイマ管理部を備え、
前記切替部は、前記第２のタイマが動作した場合、前記第１のタイマの満了後、前記第２のタイマ管理部により前記第２のタイマの満了が検知されたことに応じて、前記第２の通信システムから前記第１の通信システムへ切り替える請求項１から請求項６のいずれか１項に記載の無線端末装置。
【請求項８】
前記第２のタイマ管理部は、前記第２のタイマが動作中に、前記所定のアプリケーションにおいて操作入力が検出されると、前記第２のタイマを再始動させる請求項７に記載の無線端末装置。
【請求項９】
前記第１のタイマ管理部は、前記無線端末装置が３ＧＰＰ  ＴＳ  ２３．２７２において規定されるＣＳ−Ｆａｌｌｂａｃｋ機能により、ＬＴＥ方式の前記第１の通信システムから、ＣＤＭＡ方式の前記第２の通信システムへ移行された後、当該第２の通信システムでの通信を終了した場合に、前記第１のタイマを動作させる請求項１から請求項８のいずれか１項に記載の無線端末装置。
【請求項１０】
第１のサービスが提供される第１の通信システム、及び第２のサービスが提供される第２の通信システムを、選択的に切り替えて通信する無線端末装置の通信制御方法であって、
前記第１の通信システムから前記第２の通信システムへ移行し、前記第２のサービスに関する通信を終了した後、第１のタイマを動作させ、当該第１のタイマの満了を検知する第１のタイマ管理ステップと、
前記第１のタイマ管理ステップにおいて前記第１のタイマの満了が検知されたことに応じて、前記第２の通信システムから前記第１の通信システムへ切り替える切替ステップと、を含み、
前記第１のタイマ管理ステップにおいて、前記第２のサービスに関する通信を終了した後、当該通信の終了理由に応じて、前記第１のタイマの開始タイミング又は満了までの長さを変更する通信制御方法。
【発明の詳細な説明】
【技術分野】
【０００１】
本発明は、複数の通信システムを選択的に切り替えて通信する無線端末装置及び通信制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、現状、ＬＴＥ通信システムは、データ通信のみをサポートするシステムであり、音声着信を受ける場合には、既存のＣＤＭＡ通信システムで受ける必要がある。また、ＬＴＥ通信システムとＣＤＭＡ通信システムとでアンテナを各々搭載して、同時に待ち受けすることは可能ではあるが、端末コストの低減、及び連続待ち受け時間の長時間化の観点から望ましくない。そこで、３ＧＰＰ  ＴＳ  ２３．２７２において、ＣＳ  Ｆａｌｌｂａｃｋ機能が規定され、この機能により、ＬＴＥ通信システムでＣＤＭＡ通信システムからの着信要求を通知することができる（例えば、非特許文献１参照）。
【０００４】
また、ＣＤＭＡ通信システムへハンドオーバした後、音声通話が終了すると、再度、ＣＤＭＡ通信システムよりも優先されるＬＴＥ通信システムへハンドオーバする技術が提案されている（例えば、特許文献１参照）。
【先行技術文献】
【特許文献】
【０００５】
【特許文献１】特開２０１０−１４７５７６号公報
【非特許文献】
【０００６】
【非特許文献１】３ＧＰＰ  ＴＳ  ２３．２７２  Ｖ１０．３．１，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１１−０４
【発明の概要】
【発明が解決しようとする課題】
【０００７】
しかしながら、特許文献１の技術では、所定のタイマが満了したことに応じてＬＴＥ通信システムへハンドオーバする。したがって、ＣＤＭＡ通信システムでの処理が連続する場合等では、頻繁に通信システムの切り替えが発生する。この場合、処理時間の増大に伴って実効スループットが低下し、さらに、無線端末装置及びネットワークの負荷が増大する。
【０００８】
本発明は、通信システムの切り替えを効率的に行える無線端末装置及び通信制御方法を提供することを目的とする。
【課題を解決するための手段】
【０００９】
本発明に係る無線端末装置は、第１のサービスが提供される第１の通信システム、及び第２のサービスが提供される第２の通信システムを、選択的に切り替えて通信する無線端末装置であって、前記第１の通信システムから前記第２の通信システムへ移行し、前記第２のサービスに関する通信を終了した後、第１のタイマを動作させ、当該タイマの満了を検知する第１のタイマ管理部と、前記第１のタイマ管理部により前記第１のタイマの満了が検知されたことに応じて、前記第２の通信システムから前記第１の通信システムへ切り替える切替部と、を備え、前記第１のタイマ管理部は、前記第２のサービスに関する通信を終了した後、当該通信の終了理由に応じて、前記第１のタイマの開始タイミング又は満了までの長さを変更する。
【００１０】
また、前記第１のタイマ管理部は、前記終了理由が音声発呼の失敗と判断される場合に、前記第１のタイマの開始タイミングを遅らせ、又は満了までを長くすることが好ましい。
【００１１】
また、前記第１のタイマ管理部は、前記終了理由が音声着呼に対する応答の失敗と判断される場合に、前記第１のタイマの開始タイミングを遅らせ、又は満了までを長くすることが好ましい。
【００１２】
また、前記第１のタイマ管理部は、前記終了理由がＳＭＳ受信の失敗と判断される場合に、前記第１のタイマの開始タイミングを遅らせ、又は満了までを長くすることが好ましい。
【００１３】
また、前記第１のタイマ管理部は、前記終了理由がＳＭＳ受信の失敗と判断される場合に、前記第１のタイマの満了のタイミングがネットワーク側からのＳＭＳの再送タイミングの後となるように、前記第１のタイマの開始タイミングを遅らせ、又は満了までを長くすることが好ましい。
【００１４】
また、前記第１のタイマ管理部は、前記第１のタイマの満了までの時間が所定時間を超える場合、当該第１のタイマを即時に満了させることが好ましい。
【００１５】
また、本発明に係る無線端末装置は、前記第１のタイマ管理部により前記第１のタイマの満了が検知され、かつ、所定のアプリケーションが実行中である場合、第２のタイマを動作させ、当該第２のタイマの満了を検知する第２のタイマ管理部を備え、前記切替部は、前記第２のタイマが動作した場合、前記第１のタイマの満了後、前記第２のタイマ管理部により前記第２のタイマの満了が検知されたことに応じて、前記第２の通信システムから前記第１の通信システムへ切り替えることが好ましい。
【００１６】
また、前記第２のタイマ管理部は、前記第２のタイマが動作中に、前記所定のアプリケーションにおいて操作入力が検出されると、前記第２のタイマを再始動させることが好ましい。
【００１７】
また、前記第１のタイマ管理部は、前記無線端末装置が３ＧＰＰ  ＴＳ  ２３．２７２において規定されるＣＳ−Ｆａｌｌｂａｃｋ機能により、ＬＴＥ方式の前記第１の通信システムから、ＣＤＭＡ方式の前記第２の通信システムへ移行された後、当該第２の通信システムでの通信を終了した場合に、前記第１のタイマを動作させることが好ましい。
【００１８】
本発明に係る通信制御方法は、第１のサービスが提供される第１の通信システム、及び第２のサービスが提供される第２の通信システムを、選択的に切り替えて通信する無線端末装置の通信制御方法であって、前記第１の通信システムから前記第２の通信システムへ移行し、前記第２のサービスに関する通信を終了した後、第１のタイマを動作させ、当該タイマの満了を検知する第１のタイマ管理ステップと、前記第１のタイマ管理ステップにおいて前記第１のタイマの満了が検知されたことに応じて、前記第２の通信システムから前記第１の通信システムへ切り替える切替ステップと、を含み、前記第１のタイマ管理ステップにおいて、前記第２のサービスに関する通信を終了した後、当該通信の終了理由に応じて、前記第１のタイマの開始タイミング又は満了までの長さを変更する。
【発明の効果】
【００１９】
本発明によれば、無線端末装置は、通信システムの切り替えを効率的に行える。
【図面の簡単な説明】
【００２０】
【図１】本発明の実施形態に係る携帯電話機の外観斜視図である。
【図２】本発明の実施形態に係る携帯電話機の機能を示すブロック図である。
【図３】本発明の実施形態に係る携帯電話機の処理を示すフローチャートである。
【図４】図３から分岐する第１の処理を示すフローチャートである。
【図５】図３から分岐する第２の処理を示すフローチャートである。
【発明を実施するための形態】
【００２１】
以下、本発明の実施形態の一例について説明する。なお、本実施形態では、無線端末装置の一例として携帯電話機１を説明する。
【００２２】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式、重ね合せ方向に沿う軸線を中心に一方の筐体を回転させるようにした回転式（ターンタイプ）、あるいは操作部と表示部とが１つの筐体に配置され、連結部を有さない形式（ストレートタイプ）でもよい。
【００２３】
携帯電話機１は、操作部側筐体２と、表示部側筐体３と、を備えて構成される。操作部側筐体２は、表面部１０に、操作部１１と、携帯電話機１の使用者が通話時あるいは音声認識アプリケーションを利用時に発した音声が入力されるマイク１２と、を備えて構成される。操作部１１は、各種設定機能、電話帳機能、ＳＭＳ（ショートメッセージサービス）機能、あるいはメール機能等の各種機能を作動させるための機能設定操作ボタン１３と、電話番号の数字又はメールの文字等を入力するための入力操作ボタン１４と、各種操作における決定及びスクロール等を行う決定操作ボタン１５と、を含んで構成されている。
【００２４】
また、表示部側筐体３は、表面部２０に、各種情報を表示するための表示部２１と、通話の相手側の音声を出力するレシーバ２２と、を備えて構成されている。
【００２５】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２６】
図２は、本実施形態に係る携帯電話機１の機能を示すブロック図である。
携帯電話機１は、操作部１１と、表示部２１と、制御部３０と、通信部４０と、記憶部５０と、音声制御部６０とを備える。
【００２７】
制御部３０は、携帯電話機１の全体を制御しており、例えば、表示部２１、通信部４０等の各部に対して所定の制御を行う。また、制御部３０は、操作部１１あるいは通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２８】
通信部４０は、所定の使用周波数帯（例えば、２ＧＨｚ帯あるいは８００ＭＨｚ帯等）で外部装置（ＬＴＥ通信システムの基地局１００又はＣＤＭＡ通信システムの基地局２００）と通信を行う。そして、通信部４０は、アンテナより受信した信号を復調処理し、処理後の信号を制御部３０に供給し、また、制御部３０から供給された信号を変調処理し、アンテナから外部装置に送信する。
【００２９】
ここで、通信部４０は、本実施形態においては、音声及びデータ通信用の通信プロトコルであるＷ−ＣＤＭＡあるいはＣＤＭＡ２０００＿１ｘ（以下、ＣＤＭＡという）と、主に高速データ通信に用いられる通信プロトコルであるＬＴＥとの双方に対応しており、いずれのプロトコルの通信システムでも通信可能である。通信部４０は、制御部３０からの指令に基づいて、互いに重畳して通信エリアが敷設される複数の通信システムを選択的に切り替えて、いずれかのプロトコルにより基地局と通信を行う。なお、携帯電話機１は、データ通信（第１のサービス）時にはＬＴＥ方式によるＬＴＥ通信システム（第１の通信システム）での通信を優先し、音声通話あるいはＳＭＳの送受信（第２のサービス）時には、ＣＤＭＡ方式によるＣＤＭＡ通信システム（第２の通信システム）での通信へ切り替えるものとする。
【００３０】
なお、ＳＭＳは、通信相手との間で、短いメッセージ（数十文字程度）の送受信を行う機能である。このＳＭＳは、音声通信と部分的に共通する発信・着信シーケンスを利用しており、ＣＤＭＡ通信システムにおいて電話番号により送信相手が特定される。
【００３１】
記憶部５０は、例えば、ワーキングメモリを含み、制御部３０による演算処理に利用される。また、記憶部５０は、本実施形態に係る各種プログラムの他、後述のタイマの設定情報等を記憶する。
【００３２】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナより出力する。
【００３３】
次に制御部３０及び各通信システムの制御装置の機能を詳述する。
制御部３０は、通信切替部３１と、第１のタイマ管理部３２と、第２のタイマ管理部３３とを備える。
【００３４】
通信切替部３１は、ＬＴＥ通信システム、及びＣＤＭＡ通信システムを、選択的に切り替えて、通信部４０へ指令する。
具体的には、通信切替部３１は、音声通話又はＳＭＳの送受信を行う場合に、ＣＳ  Ｆａｌｌｂａｃｋ機能により、ＣＤＭＡ通信システムへ切り替える。
【００３５】
また、通信切替部３１は、ＣＤＭＡ通信システムでの通信を終了した後、第１のタイマ管理部により後述の第１のタイマの満了が検知され、かつ、後述の第２のタイマが動作しない場合に、ＣＤＭＡ通信システムからＬＴＥ通信システムへ切り替える。
このとき、第２のタイマが動作した場合、通信切替部３１は、第１のタイマの満了後、第２のタイマ管理部により第２のタイマの満了が検知されたことに応じて、ＣＤＭＡ通信システムからＬＴＥ通信システムへ切り替える。
【００３６】
第１のタイマ管理部３２は、ＬＴＥ通信システムからＣＤＭＡ通信システムへ移行し、第２のサービスに関する通信を終了した後、第１のタイマを動作させ、当該タイマの満了を検知する。
【００３７】
また、第１のタイマ管理部３２は、第２のサービスに関する通信を終了した後、当該通信の終了理由に応じて、第１のタイマの開始タイミング又は満了までの長さを変更する。以下、満了までの長さを変更するものとして説明する。具体的には、第１のタイマ管理部３２は、通常用タイマ、発信用タイマ、着信用タイマ及びＳＭＳ用タイマの４種類を選択的に設定する。
【００３８】
ＣＳ  Ｆａｌｌｂａｃｋ機能によりＣＤＭＡ通信システムへ移行後、音声発信、音声着信又はＳＭＳ受信に成功した場合、第１のタイマ管理部３２は、通常用タイマを設定する。
【００３９】
一方、ＣＳ  Ｆａｌｌｂａｃｋ機能によりＣＤＭＡ通信システムへ移行後、音声発呼、音声着呼に対する応答、又はＳＭＳ受信に失敗した場合、第１のタイマ管理部３２は、それぞれ、通常用タイマよりも長い発信用タイマ、着信用タイマ又はＳＭＳ用タイマを設定する。
【００４０】
ここで、携帯電話機１がＳＭＳの受信に失敗した場合、基地局２００は、連続して失敗した回数に応じて所定時間（例えば、１０秒、３０秒、６０秒、１８０秒、・・・）の経過後に再送する仕様となっている場合もある。
この場合、第１のタイマ管理部３２は、終了理由がＳＭＳ受信の失敗と判断される場合に、ＳＭＳ用タイマの満了のタイミングがネットワーク側からのＳＭＳの再送タイミングの後となるように、ＳＭＳ用タイマの開始タイミングを遅らせ、又は満了までの時間を長くする。具体的には、第１のタイマ管理部３２は、ＳＭＳ受信の失敗回数が１回、２回、・・・と増加するに従って、ＳＭＳ用タイマの満了までの時間を、例えば、１５秒、３５秒、・・・と増加させる。
【００４１】
さらに、第１のタイマ管理部３２は、ＳＭＳ用タイマの満了までの時間が所定時間を超える場合、第１のタイマを即時に満了させる。例えば、満了までの時間が６０秒を超える場合、すなわち、ＳＭＳ受信に連続３回失敗した場合、第１のタイマ管理部３２は、ＳＭＳ用タイマを設定することなく、第１のタイマを満了させる。
【００４２】
第２のタイマ管理部３３は、第１のタイマ管理部３２により第１のタイマの満了が検知された際に、所定のアプリケーションが実行中である場合、第２のタイマとしての起動中タイマを動作させ、この起動中タイマの満了を検知する。
【００４３】
また、第２のタイマ管理部３３は、第２のタイマが動作中に、所定のアプリケーションにおいて操作入力が検出されると、第２のタイマを再始動させる。
ここで、所定のアプリケーションとは、例えば、アドレス帳、発信履歴、ＳＭＳ受信ボックス、ＳＭＳ作成画面等であり、音声発着信又はＳＭＳ送受信の発生が予想されるアプリケーションである。
【００４４】
図３、図４及び図５は、本実施形態に係る携帯電話機１がＣＤＭＡ通信システムにおいて第２のサービスに関する通信を終了してから、ＬＴＥ通信システムのスキャンを開始するまでの待機処理を示すフローチャートである。
【００４５】
ステップＳ１において、制御部３０は、第２のサービスの種別を判定する。判定された種別が音声発呼の場合、処理はステップＳ２に移る。判定された種別が音声着呼の場合、処理はステップＳ１０に移る。また、判定された種別がＳＭＳ受信の場合、処理はステップＳ１８に移る。
【００４６】
ステップＳ２において、制御部３０は、音声発呼に成功したか否かを判定する。この判定がＹＥＳの場合、処理はステップＳ３に移り、判定がＮＯの場合、処理はステップＳ４に移る。
【００４７】
ステップＳ３において、制御部３０（第１のタイマ管理部３２）は、第１のタイマとして通常用タイマを始動させる。
【００４８】
ステップＳ４において、制御部３０（第１のタイマ管理部３２）は、第１のタイマとして発信用タイマを始動させる。
【００４９】
ステップＳ５において、制御部３０（第１のタイマ管理部３２）は、第１のタイマが満了したか否かを判定する。この判定がＹＥＳの場合、処理はステップＳ６に移り、判定がＮＯの場合、処理はステップＳ５を繰り返す。
【００５０】
ステップＳ６において、制御部３０は、所定のアプリケーションが起動されており、かつ、ユーザ操作がされたか否かを判定する。この判定がＹＥＳの場合、処理はステップＳ７に移り、判定がＮＯの場合、処理はステップＳ８に移る。
【００５１】
ステップＳ７において、制御部３０（第２のタイマ管理部３３）は、第２のタイマとして起動中タイマを始動させる。
【００５２】
ステップＳ８において、制御部３０（第２のタイマ管理部３３）は、起動中タイマが始動しているか否かを判定する。この判定がＹＥＳの場合、処理はステップＳ９へ移る。一方、判定がＮＯの場合、処理は終了し、通信切替部３１によりＬＴＥ通信システムのスキャンが開始される。
【００５３】
ステップＳ９において、制御部３０（第２のタイマ管理部３３）は、起動中タイマが満了したか否かを判定する。この判定がＹＥＳの場合、処理は終了し、通信切替部３１によりＬＴＥ通信システムのスキャンが開始される。一方、判定がＮＯの場合、処理はステップＳ６に戻る。
【００５４】
ステップＳ１０において、制御部３０は、音声着呼に成功したか否かを判定する。この判定がＹＥＳの場合、処理はステップＳ１１に移り、判定がＮＯの場合、処理はステップＳ１２に移る。
【００５５】
ステップＳ１１において、制御部３０（第１のタイマ管理部３２）は、第１のタイマとして通常用タイマを始動させる。
【００５６】
ステップＳ１２において、制御部３０（第１のタイマ管理部３２）は、第１のタイマとして着信用タイマを始動させる。
【００５７】
ステップＳ１３において、制御部３０（第１のタイマ管理部３２）は、第１のタイマが満了したか否かを判定する。この判定がＹＥＳの場合、処理はステップＳ１４に移り、判定がＮＯの場合、処理はステップＳ１３を繰り返す。
【００５８】
ステップＳ１４において、制御部３０は、所定のアプリケーションが起動されており、かつ、ユーザ操作がされたか否かを判定する。この判定がＹＥＳの場合、処理はステップＳ１５に移り、判定がＮＯの場合、処理はステップＳ１６に移る。
【００５９】
ステップＳ１５において、制御部３０（第２のタイマ管理部３３）は、第２のタイマとして起動中タイマを始動させる。
【００６０】
ステップＳ１６において、制御部３０（第２のタイマ管理部３３）は、起動中タイマが始動しているか否かを判定する。この判定がＹＥＳの場合、処理はステップＳ１７へ移る。一方、判定がＮＯの場合、処理は終了し、通信切替部３１によりＬＴＥ通信システムのスキャンが開始される。
【００６１】
ステップＳ１７において、制御部３０（第２のタイマ管理部３３）は、起動中タイマが満了したか否かを判定する。この判定がＹＥＳの場合、処理は終了し、通信切替部３１によりＬＴＥ通信システムのスキャンが開始される。一方、判定がＮＯの場合、処理はステップＳ１４に戻る。
【００６２】
ステップＳ１８において、制御部３０は、ＳＭＳ受信に成功したか否かを判定する。この判定がＹＥＳの場合、処理はステップＳ１９に移り、判定がＮＯの場合、処理はステップＳ２１に移る。
【００６３】
ステップＳ１９において、制御部３０（第１のタイマ管理部３２）は、第１のタイマとして通常用タイマを始動させる。
【００６４】
ステップＳ２０において、制御部３０（第１のタイマ管理部３２）は、第１のタイマが満了したか否かを判定する。この判定がＹＥＳの場合、処理はステップＳ２５に移り、判定がＮＯの場合、処理はステップＳ２０を繰り返す。
【００６５】
ステップＳ２１において、制御部３０は、ＳＭＳ受信に連続して３回失敗したか否かを判定する。この判定がＹＥＳの場合、処理はステップＳ２５に移り、判定がＮＯの場合、処理はステップＳ２２に移る。
【００６６】
ステップＳ２２において、制御部３０（第１のタイマ管理部３２）は、ＳＭＳ受信の連続失敗回数に応じてＳＭＳ用タイマの満了時間を延長する。
【００６７】
ステップＳ２３において、制御部３０（第１のタイマ管理部３２）は、第１のタイマとしてＳＭＳ用タイマを始動させる。
【００６８】
ステップＳ２４において、制御部３０（第１のタイマ管理部３２）は、第１のタイマが満了したか否かを判定する。この判定がＹＥＳの場合、処理はステップＳ１８に戻り、判定がＮＯの場合、処理はステップＳ２４を繰り返す。
【００６９】
ステップＳ２５において、制御部３０は、所定のアプリケーションが起動されており、かつ、ユーザ操作がされたか否かを判定する。この判定がＹＥＳの場合、処理はステップＳ２６に移り、判定がＮＯの場合、処理はステップＳ２７に移る。
【００７０】
ステップＳ２６において、制御部３０（第２のタイマ管理部３３）は、第２のタイマとして起動中タイマを始動させる。
【００７１】
ステップＳ２７において、制御部３０（第２のタイマ管理部３３）は、起動中タイマが始動しているか否かを判定する。この判定がＹＥＳの場合、処理はステップＳ２８へ移る。一方、判定がＮＯの場合、処理は終了し、通信切替部３１によりＬＴＥ通信システムのスキャンが開始される。
【００７２】
ステップＳ２８において、制御部３０（第２のタイマ管理部３３）は、起動中タイマが満了したか否かを判定する。この判定がＹＥＳの場合、処理は終了し、通信切替部３１によりＬＴＥ通信システムのスキャンが開始される。一方、判定がＮＯの場合、処理はステップＳ２５に戻る。
【００７３】
以上のように、本実施形態によれば、携帯電話機１は、ＣＳ  Ｆａｌｌｂａｃｋ機能によりＣＤＭＡ通信システムへ移行して第２のサービスに関する通信を終了した後、終了理由に応じて、ＬＴＥ通信システムをスキャンするまでの待機時間を変更できる。したがって、携帯電話機１は、ＣＳ  Ｆａｌｌｂａｃｋ機能によるＣＤＭＡ通信システムへの切り替えが頻繁に発生するのを抑制し、通信システムの切り替えを効率的に行える。
【００７４】
具体的には、携帯電話機１は、音声発呼の失敗、音声着信に対する応答の失敗、又はＳＭＳ受信の失敗と判断される場合に、それぞれＬＴＥ通信システムをスキャンするまでの待機時間を異ならせることができる。したがって、携帯電話機１は、サービスの種別に応じて、適切に待機時間を設定することができる。
【００７５】
また、携帯電話機１は、通信の終了理由がＳＭＳ受信の失敗と判断される場合に、再送タイミングに合わせて待機時間を設定できるので、待機時間が無用に延長されるのを抑制し、通信システムの切り替えを効率的に行える。
さらに、このとき設定される待機時間が所定時間を超える場合、すなわち連続失敗回数が所定回数に達した場合、即座に第１のタイマを満了させるので、待機時間が無用に延長されるのを抑制し、通信システムの切り替えを効率的に行える。
【００７６】
また、携帯電話機１は、第１のタイマが満了した場合であっても、このときに所定のアプリケーションが実行中、あるいはユーザ操作が継続中である場合には、さらに第２のタイマを動作させる。したがって、携帯電話機１は、継続して第２のサービスに関する通信が発生する可能性を判断し、ＬＴＥ通信システムをスキャンするまでの待機時間を延長できるので、通信システムの切り替えを効率的に行える。
さらに、携帯電話機１は、ユーザ操作が検出されると、第２のタイマを再始動させるので、通信の発生を予測して待機時間を延長でき、通信システムの切り替えを効率的に行える。
【００７７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７８】
前述の実施形態における第１のタイマの始動は、起動中タイマの満了後、又は所定のアプリケーションの終了後でもよい。
また、制御部３０（第１のタイマ管理部３２）は、ステップＳ２１においてＳＭＳ受信に連続して３回失敗した（ＹＥＳ）と判定された場合、ステップＳ１９に移って通常用タイマを始動してもよい。
【００７９】
第１の通信システムは、ＬＴＥ方式には限られず、音声発着信のルーチン、あるいはＳＭＳ送受信のルーチン等を持たない通信方式であれば、例えば、ＷｉＭＡＸ方式等でもよく、ＣＳ  Ｆａｌｌｂａｃｋに相当する機能が実装可能であれば本発明は適用可能である。
【００８０】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００８１】
１  携帯電話機（無線端末装置）
１１  操作部
２１  表示部
３０  制御部
３１  通信切替部
３２  第１のタイマ管理部
３３  第２のタイマ管理部
４０  通信部
５０  記憶部
６０  音声制御部
【図１】
2013048407.tif 000003
【図２】
2013048407.tif 000004
【図３】
2013048407.tif 000005
【図４】
2013048407.tif 000006
【図５】
2013048407.tif 000007